(57)【要約】【課題】  セキュアメッセージ提供方法およびシステムを提供する。【解決手段】  本発明の実施形態に係るセキュアメッセージ提供方法は、メッセージングサービスによってユーザ同士が送受信するセキュアメッセージに対し、第１ユーザ側で設定したセキュリティ条件を第２ユーザ側が満たしている間、セキュアメッセージの内容を確認できるように制限することにより、セキュアメッセージの内容を保護することができる。【選択図】      図３
2019160302.tif 000002
【特許請求の範囲】
【請求項１】
コンピュータ装置にセキュアメッセージ提供方法を実行させるコンピュータプログラムであって、
前記セキュアメッセージ提供方法は、
メッセンジャーサーバが提供するメッセージングサービスによって第１ユーザのアカウントおよび第２ユーザのアカウントの間の通信セッションを設定する段階、
前記設定された通信セッションを介して前記第１ユーザの端末からセキュアメッセージおよび前記第１ユーザの端末で設定されたセキュリティ条件を受信する段階、
前記第２ユーザの端末が前記受信されたセキュリティ条件を満たしているかを判定する段階、および
前記受信されたセキュリティ条件が満たされている間、前記設定された通信セッションに対応するユーザインタフェースに前記セキュアメッセージの内容を表示する段階
を含む、コンピュータプログラム。
【請求項２】
前記セキュリティ条件は、（１）前記第１ユーザの端末で前記第１ユーザによって選択または入力されたテキスト、イメージ、オーディオ、および動画のうちの少なくとも１つの情報が前記第２ユーザの端末で選択、入力、表示、または再生される第１条件、（２）前記第１ユーザの端末で前記第１ユーザによって選択または入力された環境設定情報が前記第２ユーザの端末で設定される第２条件、および（３）前記第１ユーザの端末で前記第１ユーザによって選択または入力された地理的位置または場所に前記第２ユーザの端末が位置する第３条件のうちの少なくとも１つの条件を含む、請求項１に記載のコンピュータプログラム。
【請求項３】
前記セキュアメッセージ提供方法は、
前記受信されたセキュアメッセージを前記第２ユーザの端末のメッセージデータベースに格納し、前記セキュリティ条件を前記第２ユーザの端末のセキュア領域に格納する段階
をさらに含む、請求項１に記載のコンピュータプログラム。
【請求項４】
前記セキュリティ条件は、前記第１ユーザの端末で前記第１ユーザによって選択または入力されたイメージを含み、
前記受信されたセキュリティ条件を満たしているかを判定する段階は、
前記セキュリティ条件が含むイメージと同じイメージが前記第２ユーザの端末で前記ユーザインタフェースの機能によって選択または入力されて前記ユーザインタフェースに表示されている間、前記受信されたセキュリティ条件を満たしていると判定する、請求項１に記載のコンピュータプログラム。
【請求項５】
前記セキュアメッセージ提供方法は、
前記セキュアメッセージと連係する第１領域を前記ユーザインタフェースに設定する段階
をさらに含み、
前記セキュアメッセージの内容を表示する段階は、
前記第２ユーザの端末で前記ユーザインタフェースの機能によって選択または入力された前記同じイメージを前記ユーザインタフェースに表示する段階、
前記ユーザインタフェースに表示された前記同じイメージに対する前記第２ユーザの入力に基づいて、前記同じイメージが表示される第２領域の位置を調節する段階、および
前記第２領域が前記第１領域上にオーバレイされる第３領域に前記セキュアメッセージの内容のうちの少なくとも一部を表示する段階
を含む、請求項４に記載のコンピュータプログラム。
【請求項６】
前記セキュリティ条件は、前記第１ユーザの端末で前記第１ユーザによって選択または入力されたディスプレイの輝度値または輝度値の範囲を含み、
前記受信されたセキュリティ条件を満たしているかを判定する段階は、
前記第２ユーザの端末のディスプレイの輝度値が前記セキュリティ条件に含まれる輝度値または輝度値の範囲に対応する間、前記受信されたセキュリティ条件を満たしていると判定する、請求項１に記載のコンピュータプログラム。
【請求項７】
前記セキュリティ条件は、前記第１ユーザの端末で前記第１ユーザによって選択または入力されたオーディオデータを含み、
前記受信されたセキュリティ条件を満たしているかを判定する段階は、
前記セキュリティ条件が含むオーディオデータが、前記第２ユーザの端末が備えるオーディオ入力装置に入力されている間、前記受信されたセキュリティ条件を満たしていると判定する、請求項１に記載のコンピュータプログラム。
【請求項８】
前記セキュアメッセージ提供方法は、
前記受信されたセキュリティ条件が満たされない場合、前記セキュアメッセージの受信に関する通知情報を前記ユーザインタフェースに表示する段階
をさらに含み、
前記セキュアメッセージの内容を表示する段階は、
前記受信されたセキュリティ条件が満たされている間、前記通知情報に代えて前記セキュアメッセージの内容を前記ユーザインタフェースに表示する、請求項１に記載のコンピュータプログラム。
【請求項９】
前記受信する段階は、
前記第１ユーザの端末から前記通知情報として表示される表示情報をさらに受信し、
前記通知情報を前記ユーザインタフェースに表示する段階は、
前記さらに受信された表示情報を前記通知情報として前記ユーザインタフェースに表示する、請求項８に記載のコンピュータプログラム。
【請求項１０】
コンピュータ装置にセキュアメッセージ提供方法を実行させるコンピュータプログラムであって、
前記セキュアメッセージ提供方法は、
メッセンジャーサーバが提供するメッセージングサービスによって第１ユーザのアカウントおよび第２ユーザのアカウントの間の通信セッションを設定する段階、
前記通信セッションを介して送信しようとするセキュアメッセージに対するセキュリティ条件を設定するユーザインタフェースを提供する段階、
前記ユーザインタフェースを利用して前記第１ユーザによって設定されたセキュリティ条件を確認する段階、および
前記第２ユーザの端末が前記設定されたセキュリティ条件を満たしている間、前記セキュアメッセージが前記第２ユーザの端末で表示されるように、前記通信セッションを介して前記セキュアメッセージおよび前記設定されたセキュリティ条件を前記第２ユーザの端末に送信する段階
を含む、コンピュータプログラム。
【請求項１１】
前記セキュリティ条件は、（１）前記第１ユーザの端末で前記第１ユーザによって選択または入力されたテキスト、イメージ、オーディオ、および動画のうちの少なくとも１つの情報が前記第２ユーザの端末で選択、入力、表示、または再生される第１条件、（２）前記第１ユーザの端末で前記第１ユーザによって選択または入力された環境設定情報が前記第２ユーザの端末で設定される第２条件、および（３）前記第１ユーザの端末で前記第１ユーザによって選択または入力された地理的位置または場所に前記第２ユーザの端末が位置する第３条件のうちの少なくとも１つの条件を含む、請求項１０に記載のコンピュータプログラム。
【請求項１２】
前記セキュリティ条件を確認する段階は、
前記セキュリティ条件として前記第１ユーザによって選択または入力されたイメージを確認し、
前記送信する段階は、
前記確認されたイメージと同じイメージが前記第２ユーザの端末で選択または入力されて前記ユーザインタフェースに表示されている間、前記セキュアメッセージが前記第２ユーザの端末で表示されるように、前記通信セッションを介して前記セキュアメッセージおよび前記確認されたイメージを前記第２ユーザの端末に送信する、請求項１０に記載のコンピュータプログラム。
【請求項１３】
前記セキュリティ条件を確認する段階は、
前記セキュリティ条件として前記第１ユーザによって選択または入力されたディスプレイの輝度値または輝度値の範囲を確認し、
前記送信する段階は、
前記第２ユーザの端末のディスプレイの輝度値が前記確認された輝度値または輝度値の範囲に対応する間、前記セキュアメッセージが前記第２ユーザの端末で表示されるように、前記通信セッションを介して前記セキュアメッセージおよび前記確認された輝度値または輝度値の範囲を前記第２ユーザの端末に送信する、請求項１０に記載のコンピュータプログラム。
【請求項１４】
前記セキュリティ条件を確認する段階は、
前記セキュリティ条件として前記第１ユーザによって選択または入力されたオーディオデータを確認し、
前記送信する段階は、
前記確認されたオーディオデータが、前記第２ユーザの端末が備えるオーディオ入力装置に入力されている間、前記セキュアメッセージが前記第２ユーザの端末で表示されるように、前記通信セッションを介して前記セキュアメッセージおよび前記確認されたオーディオデータを前記第２ユーザの端末に送信する、請求項１０に記載のコンピュータプログラム。
【請求項１５】
メッセンジャーサーバが提供するメッセージングサービスによって第１ユーザのアカウントおよび第２ユーザのアカウントの間の通信セッションを設定する段階、
前記設定された通信セッションを介して前記第１ユーザの端末からセキュアメッセージおよび前記第１ユーザの端末で設定されたセキュリティ条件を受信する段階、
前記第２ユーザの端末が前記受信されたセキュリティ条件を満たしているかを判定する段階、および
前記受信されたセキュリティ条件が満たされている間、前記設定された通信セッションに対応するユーザインタフェースに前記セキュアメッセージの内容を表示する段階
を含む、セキュアメッセージ提供方法。
【請求項１６】
前記セキュリティ条件は、（１）前記第１ユーザの端末で前記第１ユーザによって選択または入力されたテキスト、イメージ、オーディオ、および動画のうちの少なくとも１つの情報が前記第２ユーザの端末で選択、入力、表示、または再生される第１条件、（２）前記第１ユーザの端末で前記第１ユーザによって選択または入力された環境設定情報が前記第２ユーザの端末で設定される第２条件、および（３）前記第１ユーザの端末で前記第１ユーザによって選択または入力された地理的位置または場所に前記第２ユーザの端末が位置する第３条件のうちの少なくとも１つの条件を含む、請求項１５に記載のセキュアメッセージ提供方法。
【請求項１７】
前記セキュリティ条件は、前記第１ユーザの端末で前記第１ユーザによって選択または入力されたイメージを含み、
前記受信されたセキュリティ条件を満たしているかを判定する段階は、
前記セキュリティ条件が含むイメージと同じイメージが前記第２ユーザの端末で前記ユーザインタフェースの機能によって選択または入力されて前記ユーザインタフェースに表示されている間、前記受信されたセキュリティ条件を満たしていると判定する、請求項１５に記載のセキュアメッセージ提供方法。
【請求項１８】
前記セキュリティ条件は、前記第１ユーザの端末で前記第１ユーザによって選択または入力されたディスプレイの輝度値または輝度値の範囲を含み、
前記受信されたセキュリティ条件を満たしているかを判定する段階は、
前記第２ユーザの端末のディスプレイの輝度値が前記セキュリティ条件に含まれる輝度値または輝度値の範囲に対応する間、前記受信されたセキュリティ条件を満たしていると判定する、請求項１５に記載のセキュアメッセージ提供方法。
【請求項１９】
前記セキュリティ条件は、前記第１ユーザの端末で前記第１ユーザによって選択または入力されたオーディオデータを含み、
前記受信されたセキュリティ条件を満たしているかを判定する段階は、
前記セキュリティ条件が含むオーディオデータが、前記第２ユーザの端末が備えるオーディオ入力装置に入力されている間、前記受信されたセキュリティ条件を満たしていると判定する、請求項１５に記載のセキュアメッセージ提供方法。
【請求項２０】
請求項１〜１４のうちのいずれか一項に記載のコンピュータプログラムを記録しているコンピュータ読み取り可能な記録媒体。
【発明の詳細な説明】
【技術分野】
【０００１】
以下の説明は、セキュアメッセージ提供方法およびシステムに関し、より詳細には、メッセージングサービスによってユーザ同士が送受信するセキュアメッセージに対し、第１ユーザ側で設定したセキュリティ条件を第２ユーザ側が満たす間、セキュアメッセージの内容を確認できるように制限することにより、セキュアメッセージの内容を保護することができるセキュアメッセージ提供方法、セキュアメッセージ提供方法を実行するコンピュータ装置、コンピュータ装置にセキュアメッセージ提供方法を実行させるコンピュータプログラム、および記録媒体に関する。
【背景技術】
【０００２】
従来のメッセージングサービスにおいて、メッセージのセキュリティは、サーバとクライアントとの間だけでメッセージがセキュアにされることに限定されている。例えば、第１ユーザがサーバを経て第２ユーザに送信しようとするメッセージが第３者に流出しないように保護するためのセキュリティがある。
【０００３】
メッセージのセキュリティに関する他の例として、特許文献１には、ソーシャルネットワークサービスを利用したメッセージセキュリティシステムおよびその方法が開示されている。このような従来技術のメッセージセキュリティシステムは、ソーシャルネットワークサービスにメッセンジャープログラムがプラグイン形態で提供されている状態で、メッセージの一部または全部を暗号化／復号化する。このために、メッセージセキュリティシステムは、全ユーザが使用可能な共通暗号化キーとユーザグループごとに互いに異なるグループ暗号化キーを生成、格納、および配布することにより、ソーシャルネットワークサービス上ではユーザグループのセキュリティ等級に応じて互いに異なるセキュリティ等級のメッセージを提供できるようにしている。しかしながら、このようなメッセージのセキュリティも、配布されたキーを保持する端末では、この端末を利用してメッセージにアクセスするすべてのユーザがメッセージの内容を確認できてしまう。例えば、キーを保持する端末を紛失した場合、この端末を入手した他のユーザがメッセージの内容にアクセスできてしまうのである。
【先行技術文献】
【特許文献】
【０００４】
【特許文献１】韓国登録特許第１０−１６４４１６８号公報
【発明の概要】
【発明が解決しようとする課題】
【０００５】
メッセージングサービスによってユーザ同士が送受信するセキュアメッセージに対し、第１ユーザ側で設定したセキュリティ条件を第２ユーザ側が満たす間、セキュアメッセージの内容を確認できるように制限することにより、セキュアメッセージの内容を保護することができるセキュアメッセージ提供方法、セキュアメッセージ提供方法を実行するコンピュータ装置、コンピュータ装置にセキュアメッセージ提供方法を実行させるコンピュータプログラム、および記録媒体を提供する。
【課題を解決するための手段】
【０００６】
メッセンジャーサーバが提供するメッセージングサービスによって第１ユーザのアカウントおよび第２ユーザのアカウントの間の通信セッションを設定する段階、前記設定された通信セッションを介して前記第１ユーザの端末からセキュアメッセージおよび前記第１ユーザの端末で設定されたセキュリティ条件を受信する段階、前記第２ユーザの端末が前記受信されたセキュリティ条件を満たしているかを判定する段階、および前記受信されたセキュリティ条件が満たされている間、前記設定された通信セッションに対応するユーザインタフェースに前記セキュアメッセージの内容を表示する段階を含む、セキュアメッセージ提供方法を提供する。
【０００７】
一側面によると、前記セキュリティ条件は、（１）前記第１ユーザの端末で前記第１ユーザによって選択または入力されたテキスト、イメージ、オーディオ、および動画のうちの少なくとも１つの情報が前記第２ユーザの端末で選択、入力、表示、または再生される第１条件、（２）前記第１ユーザの端末で前記第１ユーザによって選択または入力された環境設定情報が前記第２ユーザの端末で設定される第２条件、および（３）前記第１ユーザの端末で前記第１ユーザによって選択または入力された地理的位置または場所に前記第２ユーザの端末が位置する第３条件のうちの少なくとも１つの条件を含んでよい。
【０００８】
他の側面によると、前記セキュアメッセージ提供方法は、前記受信されたセキュアメッセージを前記第２ユーザの端末のメッセージデータベースに格納し、前記セキュリティ条件を前記第２ユーザの端末のセキュア領域に格納する段階をさらに含んでよい。
【０００９】
また他の側面によると、前記セキュリティ条件は、前記第１ユーザの端末で前記第１ユーザによって選択または入力されたイメージを含んでよく、前記受信されたセキュリティ条件を満たしているかを判定する段階は、前記セキュリティ条件が含むイメージと同じイメージが前記第２ユーザの端末で前記ユーザインタフェースの機能によって選択または入力されて前記ユーザインタフェースに表示される間、前記受信されたセキュリティ条件を満たしていると判定してよい。
【００１０】
また他の側面によると、前記セキュアメッセージ提供方法は、前記セキュアメッセージと連係する第１領域を前記ユーザインタフェースに設定する段階をさらに含み、前記セキュアメッセージの内容を表示する段階は、前記第２ユーザの端末で前記ユーザインタフェースの機能によって選択または入力された前記同じイメージを前記ユーザインタフェースに表示する段階、前記ユーザインタフェースに表示された前記同じイメージに対する前記第２ユーザの入力に基づいて、前記同じイメージが表示される第２領域の位置を調節する段階、および前記第２領域が前記第１領域上にオーバレイされる第３領域に前記セキュアメッセージの内容のうちの少なくとも一部を表示する段階を含んでよい。
【００１１】
また他の側面によると、前記セキュリティ条件は、前記第１ユーザの端末で前記第１ユーザによって選択または入力されたディスプレイの輝度値または輝度値の範囲を含んでよく、前記受信されたセキュリティ条件を満たしているかを判定する段階は、前記第２ユーザの端末のディスプレイの輝度値が前記セキュリティ条件に含まれる輝度値または輝度値の範囲に対応する間、前記受信されたセキュリティ条件を満たしていると判定してよい。
【００１２】
また他の側面によると、前記セキュリティ条件は、前記第１ユーザの端末で前記第１ユーザによって選択または入力されたオーディオデータを含んでよく、前記受信されたセキュリティ条件を満たしているかを判定する段階は、前記セキュリティ条件が含むオーディオデータが、前記第２ユーザの端末が備えるオーディオ入力装置に入力されている間、前記受信されたセキュリティ条件を満たしていると判定してよい。
【００１３】
また他の側面によると、前記セキュアメッセージ提供方法は、前記受信されたセキュリティ条件が満たされない場合、前記セキュアメッセージの受信に関する通知情報を前記ユーザインタフェースに表示する段階をさらに含んでよく、前記セキュアメッセージの内容を表示する段階は、前記受信されたセキュリティ条件が満たされている間、前記通知情報に代えて前記セキュアメッセージの内容を前記ユーザインタフェースに表示してよい。
【００１４】
また他の側面によると、前記受信する段階は、前記第１ユーザの端末から前記通知情報として表示される表示情報をさらに受信してよく、前記通知情報を前記ユーザインタフェースに表示する段階は、前記さらに受信された表示情報を前記通知情報として前記ユーザインタフェースに表示してよい。
【００１５】
メッセンジャーサーバが提供するメッセージングサービスによって第１ユーザのアカウントおよび第２ユーザのアカウントの間の通信セッションを設定する段階、前記通信セッションを介して送信しようとするセキュアメッセージに対するセキュリティ条件を設定するユーザインタフェースを提供する段階、前記ユーザインタフェースを利用して前記第１ユーザによって設定されたセキュリティ条件を確認する段階、および前記第２ユーザの端末が前記設定されたセキュリティ条件を満たしている間、前記セキュアメッセージが前記第２ユーザの端末で表示されるように、前記通信セッションを介して前記セキュアメッセージおよび前記設定されたセキュリティ条件を前記第２ユーザの端末に送信する段階を含むセキュアメッセージ提供方法を提供する。
【００１６】
コンピュータ装置に前記セキュアメッセージ提供方法を実行させるコンピュータプログラムを提供する。
【００１７】
前記コンピュータプログラムを記録しているコンピュータ読み取り可能な記録媒体を提供する。
【００１８】
コンピュータ読み取り可能な命令を実行するように実現される少なくとも１つのプロセッサを含み、前記少なくとも１つのプロセッサは、メッセンジャーサーバが提供するメッセージングサービスによって第１ユーザのアカウントおよび第２ユーザのアカウントの間の通信セッションを設定する動作、前記設定された通信セッションを介して前記第１ユーザの端末からセキュアメッセージおよび前記第１ユーザの端末で設定されたセキュリティ条件を受信する動作、前記第２ユーザの端末が前記受信されたセキュリティ条件を満たしているかを判定する動作、および前記受信されたセキュリティ条件が満たされている間、前記設定された通信セッションに対応するユーザインタフェースに前記セキュアメッセージの内容を表示する動作を実行する、コンピュータ装置を提供する。
【００１９】
コンピュータ読み取り可能な命令を実行ように実現される少なくとも１つのプロセッサを含み、前記少なくとも１つのプロセッサは、メッセンジャーサーバが提供するメッセージングサービスによって第１ユーザのアカウントおよび第２ユーザのアカウントの間の通信セッションを設定する動作、前記通信セッションを介して送信しようとするセキュアメッセージに対するセキュリティ条件を設定するユーザインタフェースを提供する動作、前記ユーザインタフェースを利用して前記第１ユーザによって設定されたセキュリティ条件を確認する動作、および前記第２ユーザの端末が前記設定されたセキュリティ条件を満たしている間、前記セキュアメッセージが前記第２ユーザの端末で表示されるように、前記通信セッションを介して前記セキュアメッセージおよび前記設定されたセキュリティ条件を前記第２ユーザの端末に送信する動作を実行する、コンピュータ装置を提供する。
【図面の簡単な説明】
【００２０】
【図１】本発明の一実施形態における、ネットワーク環境の例を示した図である。
【図２】本発明の一実施形態における、コンピュータ装置の例を示したブロック図である。
【図３】本発明の一実施形態における、セキュアメッセージ提供方法が実行される環境の例を示した図である。
【図４】本発明の一実施形態における、セキュリティ条件を設定するための機能を提供する例を示した図である。
【図５】本発明の一実施形態における、セキュリティ条件を設定するための機能を提供する例を示した図である。
【図６】本発明の一実施形態における、セキュアメッセージを送信する例を示した図である。
【図７】本発明の一実施形態における、イメージによって設定されたセキュリティ条件にしたがってセキュアメッセージを表示する例を示した図である。
【図８】本発明の一実施形態における、ディスプレイの輝度によって設定されたセキュリティ条件にしたがってセキュアメッセージを表示する例を示した図である。
【図９】本発明の一実施形態における、音楽によって設定されたセキュリティ条件にしたがってセキュアメッセージを表示する例を示した図である。
【図１０】本発明の一実施形態における、ＡＰ識別子によって設定されたセキュリティ条件にしたがってセキュアメッセージを表示する例を示した図である。
【図１１】本発明の一実施形態における、地理的位置によって設定されたセキュリティ条件にしたがってセキュアメッセージを表示する例を示した図である。
【図１２】本発明の一実施形態における、送信側のセキュアメッセージ提供方法の例を示したフローチャートである。
【図１３】本発明の一実施形態における、受信側のセキュアメッセージ提供方法の例を示したフローチャートである。
【発明を実施するための形態】
【００２１】
以下、実施形態について、添付の図面を参照しながら詳しく説明する。
【００２２】
本発明の実施形態に係るセキュアメッセージ提供方法は、以下で説明される電子デバイスのようなコンピュータ装置によって実現されてよい。ここで、コンピュータ装置において、本発明の一実施形態に係るコンピュータプログラムがインストールおよび実行されてよく、コンピュータ装置は、実行されるコンピュータプログラムの制御にしたがって本発明の実施形態に係るセキュアメッセージ提供方法を実行してよい。上述したコンピュータプログラムは、コンピュータ装置にセキュアメッセージ提供方法を実行させるためにコンピュータ読み取り可能な記録媒体に記録されてよい。
【００２３】
図１は、本発明の一実施形態における、ネットワーク環境の例を示した図である。図１のネットワーク環境は、複数の電子デバイス１１０、１２０、１３０、１４０、複数のサーバ１５０、１６０、およびネットワーク１７０を含む例を示している。このような図１は、発明の説明のための一例に過ぎず、電子デバイスの数やサーバの数が図１のように限定されることはない。
【００２４】
複数の電子デバイス１１０、１２０、１３０、１４０は、コンピュータ装置によって実現される固定端末や移動端末であってよい。複数の電子デバイス１１０、１２０、１３０、１４０の例としては、スマートフォン、携帯電話、ナビゲーション、ＰＣ（ｐｅｒｓｏｎａｌ  ｃｏｍｐｕｔｅｒ）、ノート型ＰＣ、デジタル放送用端末、ＰＤＡ（Ｐｅｒｓｏｎａｌ  Ｄｉｇｉｔａｌ  Ａｓｓｉｓｔａｎｔ）、ＰＭＰ（Ｐｏｒｔａｂｌｅ  Ｍｕｌｔｉｍｅｄｉａ  Ｐｌａｙｅｒ）、タブレットなどがある。一例として、図１では、電子デバイス１１０の例としてスマートフォンを示しているが、本発明の実施形態において、電子デバイス１１０は、実質的に無線または有線通信方式を利用し、ネットワーク１７０を介して他の電子デバイス１２０、１３０、１４０および／またはサーバ１５０、１６０と通信することのできる多様な物理的なコンピュータ装置のうちの１つを意味してよい。
【００２５】
通信方式が限定されることはなく、ネットワーク１７０が含むことのできる通信網（一例として、移動通信網、有線インターネット、無線インターネット、放送網など）を利用する通信方式だけではなく、デバイス間の近距離無線通信が含まれてもよい。例えば、ネットワーク１７０は、ＰＡＮ（ｐｅｒｓｏｎａｌ  ａｒｅａ  ｎｅｔｗｏｒｋ）、ＬＡＮ（ｌｏｃａｌ  ａｒｅａ  ｎｅｔｗｏｒｋ）、ＣＡＮ（ｃａｍｐｕｓ  ａｒｅａ  ｎｅｔｗｏｒｋ）、ＭＡＮ（ｍｅｔｒｏｐｏｌｉｔａｎ  ａｒｅａ  ｎｅｔｗｏｒｋ）、ＷＡＮ（ｗｉｄｅ  ａｒｅａ  ｎｅｔｗｏｒｋ）、ＢＢＮ（ｂｒｏａｄｂａｎｄ  ｎｅｔｗｏｒｋ）、インターネットなどのネットワークのうちの１つ以上の任意のネットワークを含んでよい。さらに、ネットワーク１７０は、バスネットワーク、スターネットワーク、リングネットワーク、メッシュネットワーク、スター−バスネットワーク、ツリーまたは階層的ネットワークなどを含むネットワークトポロジのうちの任意の１つ以上を含んでもよいが、これらに限定されることはない。
【００２６】
サーバ１５０、１６０それぞれは、複数の電子デバイス１１０、１２０、１３０、１４０とネットワーク１７０を介して通信して命令、コード、ファイル、コンテンツ、サービスなどを提供する１つ以上のコンピュータ装置によって実現されてよい。例えば、サーバ１５０は、ネットワーク１７０を介して接続した複数の電子デバイス１１０、１２０、１３０、１４０にサービス（一例として、ソーシャルネットワークサービス、メッセージングサービス、検索サービス、メールサービス、コンテンツ提供サービス）を提供するシステムであってよい。
【００２７】
図２は、本発明の一実施形態における、コンピュータ装置の例を示したブロック図である。上述した複数の電子デバイス１１０、１２０、１３０、１４０それぞれやサーバ１５０、１６０それぞれは、図２に示されるコンピュータ装置２００によって実現されてよい。例えば、コンピュータ装置２００において、一実施形態に係るコンピュータプログラムがインストールおよび実行されてよく、コンピュータ装置２００は、実行されるコンピュータプログラムの制御にしたがって本発明の実施形態に係るセキュアメッセージ提供方法を実行してよい。
【００２８】
このようなコンピュータ装置２００は、図２に示すように、メモリ２１０、プロセッサ２２０、通信インタフェース２３０、および入力／出力インタフェース２４０を含んでよい。メモリ２１０は、コンピュータ読み取り可能な記録媒体であって、ＲＡＭ（ｒａｎｄｏｍ  ａｃｃｅｓｓ  ｍｅｍｏｒｙ）、ＲＯＭ（ｒｅａｄ  ｏｎｌｙ  ｍｅｍｏｒｙ）、およびディスクドライブのような永続的大容量記録装置を含んでよい。ここで、ＲＯＭやディスクドライブのような永続的大容量記録装置は、メモリ２１０とは区分される別の永続的記録装置としてコンピュータ装置２００に含まれてもよい。また、メモリ２１０には、オペレーティングシステムと少なくとも１つのプログラムコードとが記録されてよい。このようなソフトウェア構成要素は、メモリ２１０とは別のコンピュータ読み取り可能な記録媒体からメモリ２１０にロードされてよい。このような別のコンピュータ読み取り可能な記録媒体は、フロッピー（登録商標）ドライブ、ディスク、テープ、ＤＶＤ／ＣＤ−ＲＯＭドライブ、メモリカードなどのコンピュータ読み取り可能な記録媒体を含んでよい。他の実施形態において、ソフトウェア構成要素は、コンピュータ読み取り可能な記録媒体ではない通信インタフェース２３０を通じてメモリ２１０にロードされてもよい。例えば、ソフトウェア構成要素は、ネットワーク１７０を介して受信するファイルによってインストールされるコンピュータプログラムに基づいてコンピュータ装置２００のメモリ２１０にロードされてよい。
【００２９】
プロセッサ２２０は、基本的な算術、ロジック、および入出力演算を実行することにより、コンピュータプログラムの命令を処理するように構成されてよい。命令は、メモリ２１０または通信インタフェース２３０によって、プロセッサ２２０に提供されてよい。例えば、プロセッサ２２０は、メモリ２１０のような記録装置に記録されたプログラムコードにしたがって受信される命令を実行するように構成されてよい。
【００３０】
通信インタフェース２３０は、ネットワーク１７０を介してコンピュータ装置２００が他の装置（例えば、上述した記録装置）と互いに通信するための機能を提供してよい。一例として、コンピュータ装置２００のプロセッサ２２０がメモリ２１０のような記録装置に記録されたプログラムコードにしたがって生成した要求や命令、データ、ファイルなどが、通信インタフェース２３０の制御にしたがってネットワーク１７０を介して他の装置に伝達されてよい。これとは逆に、他の装置からの信号や命令、データ、ファイルなどが、ネットワーク１７０を経てコンピュータ装置２００の通信インタフェース２３０を通じてコンピュータ装置２００に受信されてもよい。通信インタフェース２３０を通じて受信した信号や命令、データなどは、プロセッサ２２０やメモリ２１０に伝達されてよく、ファイルなどは、コンピュータ装置２００がさらに含むことのできる記録媒体（上述した永続的記録装置）に記録されてよい。
【００３１】
入力／出力インタフェース２４０は、入力／出力装置２５０とのインタフェースのための手段であってよい。例えば、入力装置は、マイク、キーボード、またはマウスなどの装置を含んでよく、出力装置は、ディスプレイやスピーカのような装置を含んでよい。他の例として、入力／出力インタフェース２４０は、タッチスクリーンのように入力と出力のための機能が１つに統合された装置とのインタフェースのための手段であってもよい。入力／出力装置２５０は、コンピュータ装置２００と１つの装置で構成されてもよい。
【００３２】
また、他の実施形態において、コンピュータ装置２００は、図２の構成要素よりも少ないまたは多い構成要素を含んでもよい。しかしながら、大部分の従来技術的構成要素を明確に図に示す必要はない。例えば、コンピュータ装置２００は、上述した入力／出力装置２５０のうちの少なくとも一部を含むように実現されてもよいし、トランシーバやデータベースなどのような他の構成要素をさらに含んでもよい。
【００３３】
図３は、本発明の一実施形態における、セキュアメッセージ提供方法が実行される環境の例を示した図である。図３は、第１ユーザの端末３１０、第２ユーザの端末３２０、およびメッセンジャーサーバ３３０を示している。ここで、第１ユーザの端末３１０および第２ユーザの端末３２０は、図１を参照しながら説明した複数の電子デバイス１１０、１２０、１３０、１４０のうちのいずれか１つに対応してよく、図２を参照しながら説明したコンピュータ装置２００によって実現されてよい。同様に、メッセンジャーサーバ３３０は、図１を参照しながら説明したサーバ１５０に対応してよく、図２を参照しながら説明したコンピュータ装置２００によって実現されてよい。
【００３４】
図３では、第１ユーザの端末３１０がメッセンジャーサーバ３３０を経てセキュアメッセージおよびセキュリティ条件を第２ユーザの端末３２０に伝達する例を示している。より具体的な例として、メッセンジャーサーバ３３０が提供するメッセージングサービスによって第１ユーザのアカウントと第２ユーザのアカウントとの間の通信セッションが設定されてよく、第１ユーザの端末３１０は、このような通信セッションを介してセキュアメッセージおよびセキュリティ条件を第２ユーザの端末３２０に送信してよい。実際には、セキュアメッセージおよびセキュリティ条件を含むパケットがネットワーク１７０を介して伝達されてよい。
【００３５】
ここで、セキュアメッセージは、第２ユーザの端末３２０が、第１ユーザの端末３１０で設定されたセキュリティ条件を満たす場合に、セキュアメッセージの内容が第２ユーザの端末３２０に表示されるように実現されてよい。このような実現は、第１ユーザの端末３１０および第２ユーザの端末３２０それぞれにおいてインストールおよび実行されるコンピュータプログラムの制御にしたがって行われてよい。例えば、第１ユーザの端末３１０においてインストールおよび実行されるコンピュータプログラムは、セキュアメッセージの生成時にセキュリティ条件を設定する機能を第１ユーザに提供するように実現されてよく、第２ユーザの端末３２０においてインストールおよび実行されるコンピュータプログラムは、セキュアメッセージに対応するセキュリティ条件が満たされている場合にセキュアメッセージを表示するように実現されてよい。このようなコンピュータプログラムは、メッセンジャーサーバ３３０が提供するメッセージングサービスのためのメッセンジャーアプリケーションであってよい。
【００３６】
例えば、セキュリティ条件は、（１）第１ユーザの端末３１０で第１ユーザによって選択または入力されたテキスト、イメージ、オーディオ、および動画のうちの少なくとも１つの情報が第２ユーザの端末３２０で選択、入力、表示、または再生される第１条件、（２）第１ユーザの端末３１０で第１ユーザによって選択または入力された環境設定情報が第２ユーザの端末３２０で設定される第２条件、および（３）第１ユーザの端末３１０で第１ユーザによって選択または入力された地理的位置または場所に第２ユーザの端末３２０が位置する第３条件のうちの少なくとも１つの条件を含んでよい。
【００３７】
上述したように、単にセキュリティキーを利用しながらメッセージを暗号化および復号化する技術は、メッセージを伝達する過程でメッセージをセキュアにするのには適するが、メッセージが既に受信および復号化されて表示済みのメッセージのセキュリティには適さない。これに対し、本実施形態では、第１ユーザと第２ユーザとが共有する特定のセキュリティ条件が満たされている間セキュアメッセージの内容が表示されるため、第２ユーザの端末３２０を第３ユーザが入手したとしても、セキュリティ条件が分からなければセキュアメッセージの内容を確認することはできない。
【００３８】
セキュアメッセージの内容や形式は、セキュリティ条件の内容や形式とは関係なく、テキスト、イメージ、オーディオ、動画、顔文字などのように、一般的なメッセージングサービスで送受信可能なインスタントメッセージの内容や形式に対応してよい。例えば、第１ユーザは、メッセンジャーアプリケーションによって一般的なインスタントメッセージを作成した後、作成したインスタントメッセージをセキュアメッセージに切り換えるためにセキュリティ条件を設定してよい。これとは逆に、第１ユーザは、セキュリティ条件を設定した後にインスタントメッセージを作成してもよい。
【００３９】
図４および図５は、本発明の一実施形態における、セキュリティ条件を設定するための機能を提供する例を示した図である。
【００４０】
図４は、ユーザＡとユーザＢとの間のチャットルームをユーザＢの観点から示したものである。例えば、図３のメッセンジャーサーバ３３０が提供するメッセージングサービスによってユーザＡのアカウントとユーザＢのアカウントとの間の通信セッションが設定される場合、ユーザＡおよびユーザＢのためのチャットルーム４１０が前記通信セッションに対応して生成されてよい。このようなチャットルーム４１０には、セキュリティ条件の設定のための機能を提供することのできるユーザインタフェース４２０が含まれてよい。
【００４１】
例えば、図５に示すように、ユーザＢがユーザインタフェース４２０を選択（一例として、タッチスクリーン環境でユーザインタフェース４２０が表示された領域をユーザＢが指でタッチ）した場合、セキュリティ条件を設定するためのポップアップウィンドウ５１０がユーザＢに提供されてよい。図５のポップアップウィンドウ５１０は、イメージ、音楽、輝度などのようにセキュリティ条件と関連する複数の種類が予め設定されてよく、ユーザＢは、自身が希望する種類の値をポップアップウィンドウ５１０で設定してよい。例えば、イメージと関連する選択ボタン５２０は、ユーザＢがセキュリティ条件として、自身の端末に格納されているイメージのうちから特定のイメージを選択することのできる機能を提供してよい。他の例として、音楽と関連する選択ボタン５３０は、ユーザＢがセキュリティ条件として、自身の端末に格納されている音楽のうちから特定の音楽を選択することのできる機能を提供してよい。また他の例として、輝度と関連するバー５４０は、ユーザＢがセキュリティ条件として、ディスプレイの輝度を設定することのできる機能を提供してよい。
【００４２】
図５では、設定可能なセキュリティ条件の例として、イメージ、音楽、輝度という例示のみを説明しているが、実施形態によっては、地理的位置や接続したＡＰ（Ａｃｃｅｓｓ  Ｐｏｉｎｔ）識別子、接続したＷｉ−Ｆｉ（登録商標）識別子、設定されたメディアのボリューム、動画、特定のＵＲＬへの接続の可否などのように極めて多様な条件の設定が可能である。言い換えれば、セキュリティ条件は、ユーザＡとユーザＢとが共有することができて、ユーザＢの設定によってユーザＡの端末で該当のセキュリティ条件を満たしているかをユーザＡの端末が認識可能な種類の条件であれば限定されることはない。より具体的な例として、同じ音楽であったとしても、該当の音楽のファイルが格納されているか、該当の音楽が再生されているか、該当の音楽が端末のマイクに入力されるかなどのように、ユーザＢがユーザＢの端末を利用してセキュリティ条件の詳細事項を設定することができて、ユーザＡとユーザＢとがセキュリティ条件の内容を共有することができて、ユーザＡの端末が設定されたセキュリティ条件を満たしているかを読み取ることのできる条件であれば、本発明の実施形態に係るセキュリティ条件として利用可能である。
【００４３】
さらに、セキュリティ条件は、送信しようとするメッセージに対して設定されてもよいが、送信済みのメッセージに対しても設定可能である。この場合、チャットルームに表示されていた従来のメッセージの内容は、設定されたセキュリティ条件が満たされる前には表示されないように変更されてよい。
【００４４】
図６は、本発明の一実施形態における、セキュアメッセージを送信する例を示した図である。図６は、ユーザＡが、セキュリティ条件が設定された内容「４４４」のセキュアメッセージ６１０を作成して送信することによってセキュアメッセージおよびセキュリティ条件がユーザＢに伝達される例を示している。このとき、ユーザＢのチャットルーム６２０には、セキュアメッセージ６１０の内容「４４４」の代わりに、セキュアメッセージ６１０が届いたことを知らせる通知情報６３０が表示されてよい。セキュアメッセージ６１０の内容「４４４」は、ユーザＢの端末でセキュリティ条件が満たされる場合にユーザＢのチャットルーム６２０に表示されてよい。例えば、セキュリティ条件が満たされる場合、セキュアメッセージ６１０の内容「４４４」が、通知情報６３０に代わって表示されてよい。セキュリティ条件が満たされない状態に再び戻った場合、通知情報６３０が、セキュアメッセージ６１０の内容「４４４」に代わって、再び表示されてよい。
【００４５】
なお、通知情報６３０は、多様な方式で表現されてよい。例えば、通知情報６３０は、セキュアメッセージ６１０の内容を一部だけ表示する形態で表現されてもよいし、デフォルト設定されたテキストやイメージなどを表示する形態で表現されてもよい。より具体的な例として、ユーザＢの端末においてインストールおよび実行されているメッセンジャーアプリケーションは、セキュアメッセージ６１０の内容「４４４」をイメージに変更した後、変更したイメージの全体ピクセルを基準としてランダムに選択された１０％のピクセルだけを表示するようにユーザＢの端末を制御してよい。
【００４６】
このとき、セキュアメッセージ６１０は、ユーザＢの端末のメッセンジャーアプリケーションによって生成および管理されるクライアントメッセージデータベース（ＤＢ）６４０において格納および管理されてよく、セキュリティ条件は、前記メッセンジャーアプリケーションまたはユーザＢの端末によって生成および管理されるクライアントセキュア領域６５０において格納および管理されてよい。クライアントセキュア領域６５０は、ユーザＢの認証によってアクセスできる領域であってよく、したがって、ユーザＢではない他のユーザによるセキュリティ条件に対するアクセスを遮断することができる。言い換えれば、ユーザＡとセキュリティ条件を共有しているユーザＢではない他のユーザはセキュリティ条件を知ることができないため、他のユーザがユーザＢの端末を入手したとしても、セキュアメッセージ６１０に対するセキュリティ条件が分からないことから、セキュアメッセージ６１０の内容「４４４」にアクセスすることはできない。
【００４７】
図７は、本発明の一実施形態における、イメージによって設定されたセキュリティ条件にしたがってセキュアメッセージを表示する例を示した図である。図７は、ユーザＢがセキュリティ条件として設定されたイメージと同じイメージ７１０をロードすることにより、ユーザＢの端末においてインストールおよび実行されているメッセンジャーアプリケーションがイメージ７１０をチャットルーム６２０上に表示する例を示している。メッセンジャーアプリケーションは、イメージ７１０の位置をユーザＢが制御することのできる機能を提供してよい。例えば、図７では、ユーザがイメージ７１０を指でタッチしてからドラッグすることによってイメージ７１０の位置が制御される例を示している。このとき、図７の実施形態では、イメージ７１０を、通知情報６３０が表示されている領域上にオーバレイさせることにより、オーバレイされた領域にセキュアメッセージ６１０の内容「４４４」が表示される例を示している。
【００４８】
例えば、ユーザＡおよびユーザＢは、互いに認知しているイメージ７１０を予めセキュリティ条件として共有してよい。このとき、図５において、ユーザＡは、ポップアップウィンドウ５１０の選択ボタン５２０によってイメージ７１０を選択してよい。この場合、セキュアメッセージ６１０およびイメージ７１０がユーザＢに伝達されてよい。ユーザＢがセキュリティ条件として送信されたイメージ７１０ではなく、ユーザＢの端末に予め格納されていたイメージ７１０をチャットルーム６２０で提供される機能を利用して選択した場合、チャットルーム６２０上には、ユーザＢが選択したイメージ７１０が表示されてよい。このとき、ユーザＢが、イメージ７１０が表示される位置を調節してイメージ７１０を、通知情報６３０が表示されている領域上にオーバレイさせた場合、オーバレイされた領域にセキュアメッセージ６１０の内容のうちの少なくとも一部が表示されてよい。このために、ユーザＢの端末においてインストールされたメッセンジャーアプリケーションは、クライアントセキュア領域６５０に格納されたセキュリティ条件をユーザＢの端末が満たしているかをモニタリングしてよい。例えば、メッセンジャーアプリケーションは、イメージ７１０が選択された場合、クライアントセキュア領域６５０に格納されたイメージ７１０と選択されたイメージ７１０とを比較し、２つのイメージが同じである場合にイメージ７１０をチャットルーム６２０上に表示してよい。このとき、イメージの比較は計算量が大きいため、イメージをストリングの形態に変換し、ストリングの比較によってイメージが同じであるかを比較してもよい。
【００４９】
実施形態によっては、ユーザＢがイメージ７１０を選択してイメージ７１０をチャットルーム６２０上に表示すること自体が、セキュリティ条件を満たすと解釈されてもよい。例えば、ユーザＢがチャットルーム６２０で提供される機能を利用してイメージ７１０を選択した場合、セキュアメッセージ６１０の内容「４４４」が、通知情報６３０に代わって表示されてよい。
【００５０】
図８は、本発明の一実施形態における、ディスプレイの輝度によって設定されたセキュリティ条件にしたがってセキュアメッセージを表示する例を示した図である。図８は、セキュリティ条件として、ディスプレイのための特定の輝度値または輝度値の範囲が設定された場合の例を示している。例えば、輝度値の範囲が０〜９までの値であり、図５に示すように、ポップアップウィンドウ５１０で輝度値６が設定されたと仮定する。この場合、ユーザＢの端末のディスプレイの輝度値が６でない場合（一例として、図８の左側の例のように輝度値が８である場合）には、セキュリティ条件が満たされていないため、通知情報６３０が表示されてよい。ユーザＢの端末のディスプレイの輝度値が６に調整された場合には、図８の右側の例のメッセージ８１０のように、セキュアメッセージ６１０の内容「４４４」が、通知情報６３０に代わって表示されてよい。
【００５１】
図９は、本発明の一実施形態における、音楽によって設定されたセキュリティ条件にしたがってセキュアメッセージを表示する例を示した図である。図９は、上述したユーザＢの端末の例９１０を示しており、このようなユーザＢの端末にオーディオ入力装置としてマイクロフォン９２０が備えられた例を示している。図９は、セキュリティ条件として特定の音楽が設定された例を示している。このとき、ユーザＢの端末は、メッセンジャーアプリケーションの制御にしたがってマイクロフォン９２０に保安条件として設定された音楽が入力されている間、メッセージ９４０に示したように、セキュアメッセージ６１０の内容「４４４」を、通知情報６３０に代えて表示してよい。マイクロフォン９２０に保安条件として設定された音楽が入力されない場合、メッセンジャーアプリケーションは、通知情報６３０を、セキュアメッセージ６１０の内容「４４４」に代えて再び表示し、セキュリティ条件が満たされている間はセキュアメッセージ６１０の内容「４４４」を表示してよい。このとき、セキュリティ条件として設定された音楽の入力において、ユーザＢの端末がメッセンジャーアプリケーションの制御にしたがってセキュリティ条件として受信した音楽とマイクロフォン９２０から入力された音楽とを比較することによって識別されてよい。
【００５２】
図１０は、本発明の一実施形態における、ＡＰ識別子によって設定されたセキュリティ条件にしたがってセキュアメッセージを表示する例を示した図である。図１０は、上述したユーザＢの端末の例９１０を示しており、ユーザＢの端末とＡＰ１（１０１０）との接続がセキュリティ条件として設定された例を示している。例えば、図５を参照しながら説明したポップアップウィンドウ５１０では、ユーザＡが、ユーザＡの端末と接続または接続履歴のあるＡＰのうちから１つを選択することのできる機能が提供されてよい。このとき、ユーザＡがＡＰ１（１０１０）を選択した場合、ＡＰ１（１０１０）の識別子がセキュリティ条件としてユーザＢに提供されてよい。この場合、ユーザＢの端末においてインストールおよび実行されているメッセンジャーアプリケーションは、ユーザＢの端末がＡＰ１（１０１０）に接続した場合（一例として、ユーザＢの端末が接続したＡＰの識別子がＡＰ１（１０１０）の識別子である場合）に、セキュアメッセージ６１０の内容「４４４」を表示してよい。図１０では、ユーザＢの端末がＡＰ１（１０１０）に接続することにより、メッセンジャーアプリケーションが、メッセージ１０２０に示したようにセキュアメッセージ６１０の内容「４４４」を、通知情報６３０に代えて表示する例を説明している。ユーザＢの端末とＡＰ１（１０１０）との接続が切れた場合には、通知情報６３０が再び表示されてよい。
【００５３】
図１１は、本発明の一実施形態における、地理的位置によって設定されたセキュリティ条件にしたがってセキュアメッセージを表示する例を示した図である。図１１は、上述したユーザＢの端末の例９１０を示しており、セキュリティ条件としてユーザＢの端末が特定の場所Ａ（１１１０）に位置する条件が設定された例を示している。一例として、特定の場所Ａ（１１１０）は、特定のＧＰＳ座標であってもよいし、特定のＧＰＳ座標を中心とする予め定められた範囲の領域であってもよい。または、図１０と同じように、ＡＰ１（１０１０）と接続可能な範囲を場所Ａ（１１１０）として設定してもよい。また他の例として、特定の場所Ａ（１１１０）は、行政区域や特定の建物周辺（該当の建物から予め設定された範囲内の領域）などに設定されてもよい。このとき、ユーザＢの端末においてインストールおよび実行されているメッセンジャーアプリケーションは、ユーザＢの端末が、セキュリティ条件として設定された場所Ａ（１１１０）内に位置すると判定された場合を、セキュリティ条件を満たすと判定してよく、メッセージ１１２０に示したようにセキュアメッセージ６１０の内容「４４４」を、通知情報６３０に代えて表示してよい。ユーザＢの端末が場所Ａ（１１１０）を離れたと判定された場合には、通知情報６３０が再び表示されてよい。
【００５４】
このような実施形態は一例に過ぎず、ビジネス事業者のメッセンジャーアカウントと一般ユーザのメッセンジャーアカウントとに対して設定された通信セッションを介してメッセージを送信する過程にも適用可能である。例えば、ビジネス事業者がセキュリティ条件としてビジネス事業者の売場にユーザＣの端末が位置することを条件として含み、クーポンを内容とするセキュアメッセージをユーザＣに送信することができる。この場合、ユーザＣがビジネス事業者の売場に入った場合（一例として、ユーザＣの端末が売場に位置したり、ユーザＣの端末と売場のＡＰとが接続したりする場合）には、ユーザＣの端末のチャットウィンドウにクーポンが表示されてよい。
【００５５】
図１２は、本発明の一実施形態における、送信側のセキュアメッセージ提供方法の例を示したフローチャートである。本実施形態に係るセキュアメッセージ提供方法は、セキュアメッセージの送信側の端末を実現するコンピュータ装置２００によって実行されてよい。例えば、コンピュータ装置２００のプロセッサ２２０は、メモリ２１０が含むオペレーティングシステムのコードや、少なくとも１つのプログラムのコードによる制御命令を実行するように実現されてよい。ここで、プロセッサ２２０は、コンピュータ装置２００に記録されたコードが提供する制御命令にしたがってコンピュータ装置２００が図１２のセキュアメッセージ提供方法に含まれる段階１２１０〜１２４０を実行するようにコンピュータ装置２００を制御してよい。
【００５６】
段階１２１０において、コンピュータ装置２００は、メッセンジャーサーバが提供するメッセージングサービスによって第１ユーザのアカウントおよび第２ユーザのアカウントの間の通信セッションを設定してよい。本実施形態では、第１ユーザはセキュアメッセージの送信側であり、第２ユーザはセキュアメッセージの受信側であると仮定する。ここで、通信セッションはチャットルームに対応してよく、第１ユーザおよび第２ユーザに提供されるチャットルームに入力されるメッセージが前記通信セッションを介して送受信されてよい。
【００５７】
段階１２２０において、コンピュータ装置２００は、通信セッションを介して送信しようとするセキュアメッセージに対するセキュリティ条件を設定するユーザインタフェースを提供してよい。一例として、ユーザインタフェースは、図５を参照しながら説明したポップアップウィンドウ５１０に対応してよいが、これに限定されることはない。例えば、上述した多様な実施形態のうちの少なくとも１つのセキュリティ条件を第１ユーザが設定することのできるインタフェースであれば、制限なく多様に利用可能である。
【００５８】
上述したように、セキュリティ条件は、（１）第１ユーザの端末で第１ユーザによって選択または入力されたテキスト、イメージ、オーディオ、および動画のうちの少なくとも１つの情報が第２ユーザの端末で選択、入力、表示、または再生される第１条件、（２）第１ユーザの端末で第１ユーザによって選択または入力された環境設定情報が第２ユーザの端末で設定される第２条件、および（３）第１ユーザの端末で第１ユーザによって選択または入力された地理的位置または場所に第２ユーザの端末が位置する第３条件のうちの少なくとも１つの条件を含んでよい。
【００５９】
段階１２３０において、コンピュータ装置２００は、ユーザインタフェースを利用して第１ユーザによって設定されたセキュリティ条件を確認してよい。上述したように、図１２で説明するユーザインタフェースは、図５を参照しながら説明したポップアップウィンドウ５１０のように、セキュリティ条件を設定することのできる機能を第１ユーザに提供してよい。
【００６０】
段階１２４０において、コンピュータ装置２００は、第２ユーザの端末が、設定されたセキュリティ条件を満たしている間、セキュアメッセージが第２ユーザの端末で表示されるように、通信セッションを介してセキュアメッセージおよび設定されたセキュリティ条件を第２ユーザの端末に送信してよい。
【００６１】
一実施形態として、コンピュータ装置２００は、段階１２３０において、セキュリティ条件として第１ユーザによって選択または入力されたイメージを確認してよい。この場合、コンピュータ装置２００は、段階１２４０において、確認されたイメージが第２ユーザの端末で選択または入力されてユーザインタフェースに表示されている間、セキュアメッセージが第２ユーザの端末で表示されるように、通信セッションを介してセキュアメッセージおよび確認されたイメージを第２ユーザの端末に送信してよい。一例として、図７では、このようなイメージによってセキュアメッセージを表示する例について説明した。
【００６２】
他の実施形態では、コンピュータ装置２００は、段階１２３０において、セキュリティ条件として第１ユーザによって選択または入力されたディスプレイの輝度値または輝度値の範囲を確認してよい。この場合、コンピュータ装置２００は、段階１２４０において、第２ユーザの端末のディスプレイの輝度値が確認された輝度値または輝度値の範囲に対応する間、セキュアメッセージが第２ユーザの端末で表示されるように、通信セッションを介してセキュアメッセージおよび選択または入力された輝度値または輝度値の範囲を第２ユーザの端末に送信してよい。このような輝度値を利用する例については、図８を参照しながら説明した。
【００６３】
また他の実施形態として、コンピュータ装置２００は、段階１２３０において、セキュリティ条件として第１ユーザによって選択または入力されたオーディオデータを確認してよい。この場合、コンピュータ装置２００は、段階１２４０において、確認されたオーディオデータが、第２ユーザの端末が備えるオーディオ入力装置に入力されている間、セキュアメッセージが第２ユーザの端末で表示されるように、通信セッションを介してセキュアメッセージおよび確認されたオーディオデータを第２ユーザの端末に送信してよい。例えば、図９では、セキュリティ条件として入力された音楽が、マイクロフォン９２０に入力されている間、セキュアメッセージの内容を表示する例について説明した。
【００６４】
上述した実施形態の他にも、特定のカラーやメディアボリューム、着信音のボリューム、地理的位置、環境設定情報、ネットワーク状態などのような様々な種類のセキュリティ条件が設定および利用可能であることは、当業者であれば、上述した内容から容易に理解することができるであろう。なお、どの種類のセキュリティ条件を設定するかに応じてセキュリティの強度が異なってもよい。例えば、イメージや音楽を使用するセキュリティ条件は、ディスプレイの輝度を使用するセキュリティ条件よりもセキュリティの強度が相対的に高くなってよい。また、同じセキュリティ条件を使用したとしても、ユーザに応じてセキュリティの強度が相対的に異なってもよい。例えば、同じ位置をセキュリティ条件として使用したとしても、ユーザの該当の位置に対する接近性に応じてセキュリティの強度を異なるようにしてよい。
【００６５】
図１３は、本発明の一実施形態における、受信側のセキュアメッセージ提供方法の例を示したフローチャートである。本実施形態に係るセキュアメッセージ提供方法は、セキュアメッセージの受信側の端末を実現するコンピュータ装置２００によって実行されてよい。例えば、コンピュータ装置２００のプロセッサ２２０は、メモリ２１０が含むオペレーティングシステムのコードや、少なくとも１つのプログラムのコードによる制御命令を実行するように実現されてよい。ここで、プロセッサ２２０は、コンピュータ装置２００に記録されたコードが提供する制御命令にしたがってコンピュータ装置２００が図１３のセキュアメッセージ提供方法に含まれる段階１３１０〜１３４０を実行するようにコンピュータ装置２００を制御してよい。
【００６６】
段階１３１０において、コンピュータ装置２００は、メッセンジャーサーバが提供するメッセージングサービスによって第１ユーザのアカウントおよび第２ユーザのアカウントの間の通信セッションを設定してよい。このような段階１３１０は、図１２を参照しながら説明した段階１２１０に対応してよい。
【００６７】
段階１３２０において、コンピュータ装置２００は、設定された通信セッションを介して第１ユーザの端末からセキュアメッセージおよび第１ユーザの端末で設定されたセキュリティ条件を受信してよい。例えば、段階１３２０は、図１２の段階１２４０で送信されるセキュアメッセージおよびセキュリティ条件を受信する過程であってよい。
【００６８】
上述したように、セキュリティ条件は、（１）第１ユーザの端末で第１ユーザによって選択または入力されたテキスト、イメージ、オーディオ、および動画のうちの少なくとも１つの情報が第２ユーザの端末で選択、入力、表示、または再生される第１条件、（２）第１ユーザの端末で第１ユーザによって選択または入力された環境設定情報が第２ユーザの端末で設定される第２条件、および（３）第１ユーザの端末で第１ユーザによって選択または入力された地理的位置または場所に第２ユーザの端末が位置する第３条件のうちの少なくとも１つの条件を含んでよい。
【００６９】
このとき、コンピュータ装置２００は、受信したセキュアメッセージを第２ユーザの端末のメッセージデータベースに格納し、セキュリティ条件を第２ユーザの端末のセキュア領域に格納してよい。
【００７０】
段階１３３０において、コンピュータ装置２００は、第２ユーザの端末が、受信したセキュリティ条件を満たしているかを判定してよい。
【００７１】
一実施形態として、セキュリティ条件は、第１ユーザの端末で第１ユーザによって選択または入力されたイメージを含んでよい。この場合、コンピュータ装置２００は、段階１３３０において、セキュリティ条件が含むイメージと同じイメージが第２ユーザの端末でユーザインタフェースの機能を利用して選択または入力されてユーザインタフェースに表示されている間、受信したセキュリティ条件を満たしていると判定してよい。図１３で説明するユーザインタフェースは、第２ユーザの端末においてインストールおよび実行されるメッセンジャーアプリケーションの制御にしたがって第２ユーザの端末で提供されるチャットルームに対応してよい。実施形態によっては、図７を参照しながら説明したように、コンピュータ装置２００は、イメージのオーバレイによってセキュアメッセージの内容のうちの少なくとも一部を表示してもよい。例えば、コンピュータ装置２００は、セキュアメッセージと連係する第１領域をユーザインタフェースに設定してよい。この場合、コンピュータ装置２００は、段階１３３０において、ユーザインタフェースの機能を利用して選択または入力されたイメージをユーザインタフェースに表示してよく、ユーザインタフェースに表示されたイメージに対する第２ユーザの入力に基づいて、イメージが表示される第２領域の位置を調節してよい。このとき、コンピュータ装置２００は、第２領域が第１領域上にオーバレイされる第３領域にセキュアメッセージの内容のうちの少なくとも一部を表示してよい。この場合にも、ユーザインタフェースの機能を利用して選択または入力されたイメージが、セキュリティ条件が含むイメージと同じイメージである場合に、セキュアメッセージの内容のうちの少なくとも一部が表示されてよい。
【００７２】
他の実施形態として、セキュリティ条件は、第１ユーザの端末で第１ユーザによって選択または入力されたディスプレイの輝度値または輝度値の範囲を含んでよい。この場合、コンピュータ装置２００は、段階１３３０において、第２ユーザの端末のディスプレイの輝度値が、セキュリティ条件が含む輝度値または輝度値の範囲に対応している間、受信したセキュリティ条件が満たされていると判定してよい。このような実施形態については、図８を参照しながら説明した。
【００７３】
また他の実施形態として、セキュリティ条件は、第１ユーザの端末で第１ユーザによって選択または入力されたオーディオデータを含んでよい。この場合、コンピュータ装置２００は、段階１３３０において、セキュリティ条件が含むオーディオデータが、第２ユーザの端末が含むオーディオ入力装置に入力されている間、受信したセキュリティ条件が満たされていると判定してよい。例えば、図９では、セキュリティ条件が含む音楽がマイクロフォン９２０に入力されている間、セキュアメッセージの内容を表示する例について説明した。
【００７４】
上述した実施形態の他にも、特定のカラーやメディアボリューム、着信音のボリューム、地理的位置、環境設定情報、ネットワーク状態などのような様々な種類のセキュリティ条件が設定および利用可能であることは、当業者であれば、上述した内容から容易に理解することができるであろう。
【００７５】
段階１３４０において、コンピュータ装置２００は、受信したセキュリティ条件が満たされている間、設定された通信セッションに対応するユーザインタフェースにセキュアメッセージの内容を表示してよい。上述したように、コンピュータ装置２００は、受信したセキュリティ条件が満たされない場合、セキュアメッセージを受信したことに対する通知情報をユーザインタフェースに表示してよい。この場合、セキュリティ条件が満たされている間には、セキュアメッセージの内容を、このような通知情報に代えてユーザインタフェースに表示してよい。
【００７６】
なお、通知情報は、デフォルトで予め設定されてもよいが、通知情報を第１ユーザが直接設定してもよい。例えば、第１ユーザは、通知情報として表示するためのテキスト、イメージ、動画のような情報を第１ユーザの端末から送信してよく、コンピュータ装置２００は、セキュリティ条件が満たされない場合に、第１ユーザの端末から受信した通知情報を、セキュアメッセージの内容の代わりにユーザインタフェースに表示してよい。例えば、デフォルト設定された通知情報の代わりに、「＾−＾」のように、第１ユーザと第２ユーザとの間で予め設定された顔文字や予め設定された絵文字などを通知情報として表示することにより、第１ユーザおよび第２ユーザ以外の他のユーザには該当のメッセージがセキュアメッセージであることを気付かせないようにすることも可能である。
【００７７】
以上のように、本発明の実施形態によると、メッセージングサービスによってユーザ同士が送受信するセキュアメッセージに対し、第１ユーザ側で設定したセキュリティ条件を第２ユーザ側で満たしている間、セキュアメッセージの内容を確認できるように制限することにより、セキュアメッセージの内容を保護することができる。
【００７８】
上述したシステムまたは装置は、ハードウェア構成要素、ソフトウェア構成要素、またはハードウェア構成要素とソフトウェア構成要素との組み合わせによって実現されてよい。例えば、実施形態で説明された装置および構成要素は、例えば、プロセッサ、コントローラ、ＡＬＵ（ａｒｉｔｈｍｅｔｉｃ  ｌｏｇｉｃ  ｕｎｉｔ）、デジタル信号プロセッサ、マイクロコンピュータ、ＦＰＧＡ（ｆｉｅｌｄ  ｐｒｏｇｒａｍｍａｂｌｅ  ｇａｔｅ  ａｒｒａｙ）、ＰＬＵ（ｐｒｏｇｒａｍｍａｂｌｅ  ｌｏｇｉｃ  ｕｎｉｔ）、マイクロプロセッサ、または命令を実行して応答することができる様々な装置のように、１つ以上の汎用コンピュータまたは特殊目的コンピュータを利用して実現されてよい。処理装置は、オペレーティングシステム（ＯＳ）およびＯＳ上で実行される１つ以上のソフトウェアアプリケーションを実行してよい。また、処理装置は、ソフトウェアの実行に応答し、データにアクセスし、データを記録、操作、処理、および生成してもよい。理解の便宜のために、１つの処理装置が使用されるとして説明される場合もあるが、当業者は、処理装置が複数個の処理要素および／または複数種類の処理要素を含んでもよいことが理解できるであろう。例えば、処理装置は、複数個のプロセッサまたは１つのプロセッサおよび１つのコントローラを含んでよい。また、並列プロセッサのような、他の処理構成も可能である。
【００７９】
ソフトウェアは、コンピュータプログラム、コード、命令、またはこれらのうちの１つ以上の組み合わせを含んでもよく、思うままに動作するように処理装置を構成したり、独立的または集合的に処理装置に命令したりしてよい。ソフトウェアおよび／またはデータは、処理装置に基づいて解釈されたり、処理装置に命令またはデータを提供したりするために、いかなる種類の機械、コンポーネント、物理装置、コンピュータ記録媒体または装置に具現化されてよい。ソフトウェアは、ネットワークに接続されたコンピュータシステム上に分散され、分散された状態で記録されても実行されてもよい。ソフトウェアおよびデータは、１つ以上のコンピュータ読み取り可能な記録媒体に記録されてよい。
【００８０】
実施形態に係る方法は、多様なコンピュータ手段によって実行可能なプログラム命令の形態で実現されてコンピュータ読み取り可能な媒体に記録されてよい。コンピュータ読み取り可能な媒体は、プログラム命令、データファイル、データ構造などを単独でまたは組み合わせて含んでよい。媒体に記録されるプログラム命令は、実施形態のために特別に設計されて構成されたものであってもよいし、コンピュータソフトウェア当業者に公知な使用可能なものであってもよい。コンピュータ読み取り可能な記録媒体の例は、ハードディスク、フロッピー（登録商標）ディスク、磁気テープのような磁気媒体、ＣＤ−ＲＯＭ、ＤＶＤのような光媒体、フロプティカルディスク（ｆｌｏｐｔｉｃａｌ  ｄｉｓｋ）のような光磁気媒体、およびＲＯＭ、ＲＡＭ、フラッシュメモリなどのようなプログラム命令を記録して実行するように特別に構成されたハードウェア装置を含む。このような記録媒体は、単一または複数のハードウェアが結合した形態の多様な記録手段または格納手段であってよく、あるコンピュータシステムに直接接続する媒体に限定されることはなく、ネットワーク上に分散されて存在するものであってもよい。プログラム命令の例は、コンパイラによって生成されるもののような機械語コードだけではなく、インタプリタなどを使用してコンピュータによって実行される高級言語コードを含む。
【００８１】
以上のように、実施形態を、限定された実施形態および図面に基づいて説明したが、当業者であれば、上述した記載から多様な修正および変形が可能であろう。例えば、説明された技術が、説明された方法とは異なる順序で実行されたり、かつ／あるいは、説明されたシステム、構造、装置、回路などの構成要素が、説明された方法とは異なる形態で結合されたりまたは組み合わされたり、他の構成要素または均等物によって対置されたり置換されたとしても、適切な結果を達成することができる。
【００８２】
したがって、異なる実施形態であっても、特許請求の範囲と均等なものであれば、添付される特許請求の範囲に属する。
【符号の説明】
【００８３】
３１０：第１ユーザの端末
３２０：第２ユーザの端末
３３０：メッセンジャーサーバ
【図１】
2019160302.tif 000003
【図２】
2019160302.tif 000004
【図３】
2019160302.tif 000005
【図４】
2019160302.tif 000006
【図５】
2019160302.tif 000007
【図６】
2019160302.tif 000008
【図７】
2019160302.tif 000009
【図８】
2019160302.tif 000010
【図９】
2019160302.tif 000011
【図１０】
2019160302.tif 000012
【図１１】
2019160302.tif 000013
【図１２】
2019160302.tif 000014
【図１３】
2019160302.tif 000015